(57)【特許請求の範囲】
【請求項１】
複数本のワイヤを駆動するために放射状に配列された複数の電磁コイルが収容されたハウジングを有し、このハウジングの中央部両側にヘッド取付部が設けられたインパクトドットプリンタヘッドと、
前記ヘッド取付部を取付部材により固定するヘッド固定部を有してプラテンに沿って往復駆動されるキャリアと、
前記ヘッド取付部と前記ヘッド固定部とを固定する前記取付部材の中心を通る平面内で前記ハウジングに接し前記ハウジングの外周面と前記キャリアとの間で挟持された屈撓可能な熱伝導部材と、
を備えるインパクトドットプリンタ。
【発明の詳細な説明】
【０００１】
【発明の属する技術分野】
本発明は、インパクトドットプリンタに関する。
【０００２】
【従来の技術】
従来、インパクトドットプリンタヘッドが搭載されたキャリアをプラテンに沿って往復駆動させ、この過程でインパクトドットプリンタヘッドを駆動することにより記録紙に情報を印字するインパクトドットプリンタがある。
【０００３】
このようなインパクトドットプリンタは、その先端とプラテン上の記録紙との間のギャップの管理が重要で、そのためにもキャリアに対するインパクトドットプリンタヘッドの相対位置を正確に定める必要がある。
【０００４】
一方、インパクトドットプリンタヘッドは複数本のワイヤを駆動するために放射状に配列された複数の電磁コイルを備え、これらの電磁コイルはハウジングに収容されている。したがって、印字に際してインパクトドットプリンタヘッドが発熱するため、その熱をインパクトドットプリンタヘッドより体積の大きいキャリアに伝え、さらに、キャリアからフレーム部材等に伝えて放熱する必要がある。熱伝導は部材間の接触面積が大きい程有利である。
【０００５】
しかし、キャリアに対するインパクトドットプリンタヘッドの位置を正確に定める場合、インパクトドットプリンタヘッドとキャリアとを広い面積で接触させることには製作上無理があるので、面精度を高めた少ない面積で両者を接触させている。
【０００６】
そこで、位置決めのためにはインパクトドットプリンタヘッドのハウジングの一部をキャリアに直接当接させ、ハウジングの他の部分とキャリアとの間に屈撓可能な熱伝導部材を挟持して設けることが行われている。その例を図４及び図５に示す。
【０００７】
図４及び図５は、キャリア３０にインパクトドットプリンタヘッド３１を取り付けた状態を示す側面図である。何れの場合も、インパクトドットプリンタヘッド３１はハウジング３２とこのハウジング３２の端面から突出するノーズ３３とを有し、ノーズ３３には複数本のワイヤ(図示せず)が摺動自在に保持され、これらのワイヤを駆動する電磁コイル(図示せず)はハウジング３２の内部に放射状に配列されて設けられている。ノーズ３３の両側には取付螺子３４によりキャリア３０に取り付けられるヘッド取付片３５が設けられている。この場合、ハウジング３２のノーズ３３側の前端面３６をキャリア３０に当接することにより、キャリア３０に対するインパクトドットプリンタヘッド３１のプラテン方向の位置を定めている。
【０００８】
放熱対策として、図４に示す例では、ハウジング３２の後端面３７に弾性的に接触する熱伝導部材３８を螺子３９によりキャリア３０に固定し、図５に示す例では、ハウジング３２の外周面４０の中央部４０Ｃとキャリア３０との間で熱伝導部材４１を挟持している。
【０００９】
【発明が解決しようとする課題】
図４に示す例は、ハウジング３２の後端面３７により屈撓された熱伝導部材３８の反力が、ハウジング３２の前端面３６をキャリア３０に当接させる力として作用するため、キャリア３０に対するインパクトドットプリンタヘッド３１の位置が狂うことはない。しかし、ハウジング３２は発熱する電磁コイルを囲繞する外周面４０の中央部４０Ｃが最も高温になるにも拘らず、電磁コイルの温度が伝わりにくい後端面３７に熱伝導部材３８を接触させているため放熱効果が悪くなる。
【００１０】
これに対し、図５に示す例は、電磁コイルの熱が伝わり易く高温となるハウジング３２の外周面４０の中央部４０Ｃに熱伝導部材４１を接触させているため放熱効果がよい。しかし、ハウジング３２とキャリア３０との間で挟持された熱伝導部材４１の反力が取付螺子３４の中心を通る平面と離れた平面上でハウジング３２に作用し、この力は取付螺子３４を中心としてハウジング３２を傾ける力として作用するためインパクトドットプリンタヘッド３１が傾き易い。
【００１１】
本発明はこのような点に鑑みなされたもので、キャリアに対するインパクトドットプリンタヘッドの位置決めに影響を与えることなく、放熱効果を促進し得るインパクトドットプリンタを提供することを目的とする。
【００１２】
【課題を解決するための手段】
請求項１の発明は、複数本のワイヤを駆動するために放射状に配列された複数の電磁コイルが収容されたハウジングを有し、このハウジングの中央部両側にヘッド取付部が設けられたインパクトドットプリンタヘッドと、前記ヘッド取付部を取付部材により固定するヘッド固定部を有してプラテンに沿って往復駆動されるキャリアと、前記ヘッド取付部と前記ヘッド固定部とを固定する前記取付部材の中心を通る平面内で前記ハウジングに接し前記ハウジングの外周面と前記キャリアとの間で挟持された屈撓可能な熱伝導部材と、を備える。
【００１３】
したがって、ヘッド取付部とヘッド固定部とを取付部材で固定することにより、インパクトドットプリンタヘッドがキャリアに取り付けられる。熱伝導部材は温度が最も高くなるハウジングの外周面の中央部に接触するため放熱効果が促進される。この場合、熱伝導部材は中央部でヘッド取付部とヘッド固定部とを固定する取付部材の締付力を受けて屈撓し、屈撓による反力が取付部材の中心を通る平面内でハウジングに作用するため、キャリアに対するハウジングの位置が変化することはない。
【００１４】
【発明の実施の形態】
本発明の一実施の形態を図１及び図２に基づいて説明する。図１は分解斜視図、図２はキャリアにインパクトドットプリンタヘッドを固定した状態を示す側面図である。
【００１５】
インパクトドットプリンタヘッド１は四角形のハウジング２とこのハウジング２の端面から突出するノーズ３とを有し、ノーズ３には複数本のワイヤ４が摺動自在に保持され、これらのワイヤ４を駆動する電磁コイル(図示せず)はハウジング２の内部に放射状に配列されて設けられている。ノーズ３の両側には位置決め孔５を有する突片６が設けられ、ハウジング２の外周面７の両側には取付孔８を有するヘッド取付部であるヘッド取付片９が設けられている。
【００１６】
プラテン(図示せず)に沿って往復駆動されるキャリア１０にはインパクトドットプリンタヘッド１のハウジング２を収容する凹部１１が形成され、表面１２にはインパクトドットプリンタヘッド１の位置決め孔５に嵌合される位置決めピン１３が立設され、両側には螺子孔１４を有するヘッド固定部であるヘッド固定片１５が設けられている。１６は螺子孔１４に螺合される取付部材としての取付螺子である。
【００１７】
ハウジング２の外周面７とキャリア１０に形成された凹部１１の底面との間に挟持される熱伝導部材１７は、凹部１１の底面に接触される第１の接触片１８と、ハウジング２の外周面７に接触される第２の接触片１９と、第１の接触片１８の両側から突出する舌片２０とを一体に有し、弾性的に屈撓可能で熱伝導性のある例えばシリコンゴム等の材料により形成されている。熱伝導部材１７の舌片２０を除く幅はキャリア１０の凹部１１の幅と同等またはそれより僅かに狭い寸法に定められている。そして、凹部１１の両側には舌片２０を突出させるための開口２１が形成されている。
【００１８】
したがって、熱伝導部材１７は、第１の接触片１８が凹部１１の底面に接触され、舌片２０が開口２１に突出された状態で、螺子などの取付部材を用いることなくキャリア１０の凹部１１の底面に取り付けられる。インパクトドットプリンタヘッド１は、突片６の位置決め孔１４をキャリア１０の位置決めピン１３に嵌合することで位置決めされ、ヘッド取付片９の取付孔８に通した取付螺子１６をヘッド固定片１５の螺子孔１４に螺合することにより固定される。
【００１９】
ここで、熱伝導部材１７は、ヘッド取付片９とヘッド固定片１５とを固定する取付螺子１６の中心を通る平面内に中心部が位置する状態で、第２の接触片１９がハウジング２の外周面７の中央部７Ｃに弾性的に接触して屈撓され、第１の接触片１８が凹部１１の底面に弾性的に接触されている。
【００２０】
このような構成において、熱伝導部材１７の第２の接触片１９は温度が最も高くなるハウジング２の外周面７の中央部７Ｃに接触するため放熱効果を促進させることができる。この場合、熱伝導部材１７は中央部（この例では第２の接触片１９の自由端縁）でヘッド取付片９とヘッド固定片１５とを固定する取付螺子１６の締付力を受けて屈撓する。この屈撓による反力はハウジング２の両側の取付螺子１６の中心を通る平面内でハウジング２に作用するため、キャリア１０に対するハウジング２の位置が変化することはない。
【００２１】
次に、図３を参照して変形例について説明する。この例は、インパクトドットプリンタヘッド１のハウジング２が両側に備えるヘッド取付片９に、位置決め孔５と取付孔８とを形成し、キャリア１０のヘッド固定片１５に、位置決めピン１３を立設するとともに螺子孔１４を形成し、インパクトドットプリンタヘッド１のノーズ３を位置決めする突片２２をキャリア１０のプラテン側の表面１２に設けた構成である。他の構成は前記実施の形態と同様であるので、同一部分は同一符号を用い説明も省略する。
【００２２】
組み立てに際しては、前述のように、熱伝導部材１７をキャリア１０の凹部１１に装着した後に、インパクトドットプリンタヘッド１のノーズ３をキャリア１０の突片２２の間に挿入するとともに、ヘッド取付片９に形成された位置決め孔１４を、ヘッド固定片１５に立設された位置決めピン１３に嵌合することで位置決めされ、ヘッド取付片９の取付孔８に通した取付螺子１６をヘッド固定片１５の螺子孔１４に螺合することにより、インパクトドットプリンタヘッド１が固定される。
【００２３】
この例においても、熱伝導部材１７の第１の接触片１８が凹部１１の底面に弾性的に接触され、第２の接触片１９が温度が最も高いハウジング２の外周面７の中央部７Ｃに接触されているので放熱効果を促進させることができる。また、熱伝導部材１７は中央部（第２の接触片１９の自由端縁）でヘッド取付片９とヘッド固定片１５とを固定する取付螺子１６の締付力を受けて屈撓する。この屈撓による反力はハウジング２の両側の取付螺子１６の中心を通る平面内でハウジング２に作用するため、キャリア１０に対するハウジング２の位置が変化することはない。
【００２４】
【発明の効果】
請求項１の発明によれば、インパクトドットプリンタヘッドのハウジングにおける最も温度が高くなる外周面とキャリアとの間で弾性的に屈撓可能な熱伝導部材を挟持したので、放熱効果を促進することができる。さらに、熱伝導部材を、ハウジングの両側に設けたヘッド取付部とキャリアに設けたヘッド固定部とを固定する取付部材の中心を通る平面内にハウジングの外周面中央部と接触させた状態で配置したので、ハウジングとキャリアとの間で圧縮されて屈撓される熱伝導部材の反力が取付部材の中心を通る平面内でハウジングに作用するため、キャリアに対するハウジングの位置ずれを防止することができる。
【図面の簡単な説明】
【図１】本発明の一実施の形態を示す側面図である。
【図２】その分解斜視図である。
【図３】変形例を示す分解斜視図である。
【図４】従来の一例を示す側面図である。
【図５】従来の他の例を示す側面図である。
【符号の説明】
１  インパクトドットプリンタヘッド
２  ハウジング
４  ワイヤ
９  ヘッド取付部
１０  キャリア
１５  ヘッド固定部
１６  取付部材
１７  熱伝導部材
【図１】
0004083922.tif 000002
【図２】
0004083922.tif 000003
【図３】
0004083922.tif 000004
【図４】
0004083922.tif 000005
【図５】
0004083922.tif 000006